(57)【要約】      （修正有）【課題】点検などの覗窓において、透明板が一重或いは二重であっても単一の窓枠体で済み、且つ、パネルに窓枠体を固定するためにビス等の別途の固定部材を必要としない、安価で作業効率が向上する覗窓の取付構造を提供する。【解決手段】パネル１１の適所に覗窓のための開口部１２が形成され、該開口部には開口縁部を覆うようにパネル１１を挟んで両側から一対の窓枠体を嵌め込み、該一対の窓枠体の内周側にはパッキン部材５を保持する保持部３５，４５を設け、該保持されたパッキン部材５には透明板２１を固定する複数の嵌合溝部５１ａ，５１ｂを設け、該複数の嵌合溝部のうち適宜の嵌合溝部を選択して所望の透明板２１を嵌合し、前記一対の窓枠体には内側に延び互いに接合する結合部を設け、該結合部の互いに接する面には外側方向に移動を規制する鋸刃状の噛合部３３，４３を設けた覗窓の取付構造である。【選択図】図４
2004332383.tif 000002
【特許請求の範囲】
【請求項１】
パネルの適所に覗窓のための開口部が形成され、該開口部には開口縁部を覆うようにパネルを挟んで両側から一対の窓枠体を嵌め込み、該一対の窓枠体の内周側にはパッキン部材を保持する保持部を設け、該保持されたパッキン部材には透明板を固定する複数の嵌合溝部を設け、該複数の嵌合溝部のうち適宜の嵌合溝部を選択して所望の透明板を嵌合し、前記一対の窓枠体には内側に延び互いに接合する結合部を設け、該結合部の互いに接する面には外側方向に移動を規制する鋸刃状の噛合部を設けたことを特徴とする覗窓の取付構造。
【発明の詳細な説明】
【０００１】
【発明の属する技術分野】
本発明は、種々の厚さの扉やパネルの仕切体の組み付ける覗窓の取付構造の技術分野に属する。
【０００２】
【従来の技術】
建物の機械室などに据えて稼働する器機、例えば、空気調和機を納めた機体内を点検、或いは、メンテナンスのために扉や仕切壁に覗窓を備えたものがある。
従来の空気調和機などの覗窓の取付構造として、例えば、図８に示すような構造が知られているが、この覗窓の取付構造は、窓外周枠ｂと窓内周枠ｃ１からなる窓枠体が設けられ、パネルａを挟むように外周枠ｂと内周枠ｃ１を嵌め込み、更に、内周枠ｃ１の外周にもう一つの中間内周枠ｃ２、ｃ２’を設けて、パッキン材ｄを保持するとともに、このパッキン材ｄには一枚、或いは、二枚の透明のアクリル板ｅを嵌め込み、中間内周枠ｃ２、ｃ２’と窓外周枠ｂの接合部にはコーキング材ｆを施して気密性を高め、外周枠ｂと内周枠ｃ１とをビスｇ等でパネルａに固定して組み立てるものである。
【０００３】
【特許文献１】
実開昭６１−１１７８８４号公報
【０００４】
【発明が解決しようとする課題】
しかしながら、従来の点検用の覗窓は、枠体部材が窓外周枠ｂと窓内周枠ｃ１の他に、窓内周枠ｃ１の外周にもう一つの窓中間内周枠ｃ２を設ける必要があり、この窓中間内周枠はアクリル板ｅを一枚の一重にするか二枚の二重にするかによって、それぞれのサイズの異なった窓中間内周枠ｃ２、ｃ２’を用意する必要があるといった問題点があった。
また、パネルａに窓外周枠ｂと窓内周枠ｃ１とをパネルに固定するために、ビス等が必要となり煩わしいといった問題点もあった。
【０００５】
本発明は、上記の問題点に鑑みてなされたもので、その課題は、覗窓の透明板が一重或いは二重であっても単一の窓枠体で済み、且つ、パネルに窓枠体を固定するためにビス等の別途の固定部材を必要としない、安価で作業効率が向上する覗窓の取付構造を提供するものである。
【０００６】
【課題を解決するための手段】
上記の課題を解決するために、本発明は、パネルの適所に覗窓のための開口部が形成され、該開口部には開口縁部を覆うようにパネルを挟んで両側から一対の窓枠体を嵌め込み、該一対の窓枠体の内周側にはパッキン部材を保持する保持部を設け、該保持されたパッキン部材には透明板を固定する複数の嵌合溝部を設け、該複数の嵌合溝部のうち適宜の嵌合溝部を選択して所望の透明板を嵌合し、前記一対の窓枠体には内側に延び互いに接合する結合部を設け、該結合部の互いに接する面には外側方向に移動を規制する鋸刃状の噛合部を設けたことを特徴とする覗窓の取付構造である
その作用は、パッキン部材には複数の嵌合溝部を設けたので、透明板が一つであっても複数であってもパッキン部材が一つの部材で足り、前記一対の窓枠体の内側の結合部での互いに接する面には外側方向に移動を規制する鋸刃状の噛合部を設けたので、パネルの厚さが異なっても一対の窓枠体を押圧するだけでパネルに密着固定することができ、かつ、ビス等の別途の固定部材を必要としないので安価に製作でき、組み立て作業も容易となる。
【０００７】
【発明の実施の形態】
本発明の覗窓の取付構造を、空気調和機の扉に適用した実施例を図面に沿って説明する。
図１は、空気調和機のケーシングの一部に設けられた扉を示すもので、扉部本体１は断熱及び遮音機能を有する一定の厚さのパネル１１からなり、パネル１１のほぼ中央部であって空気調和機の内部が点検し易い箇所には、円形の開口部１２（図１（ｂ））が形成されており、この開口部１２には透明板２１を介して内部が覗ける覗窓２が設けられ、扉部本体１はヒンジ部１３によって空気調和機の枠体に対して開閉可能になっており、取っ手１４を操作して扉部本体１を開閉する。
覗窓２の概要を図２に示して説明するが、本実施例は強化ガラスまたはアクリルの透明板２１の一重構造と二重構造に対応する覗窓２の取付構造であり、図２（ａ）は透明板の一重構造を示し、図２（ｂ）は透明板の二重構造を示すもので、一対の窓枠体３，４は、パネル１１の両側から押圧されて嵌め込まれて、後述する結合部により固定され、前記窓枠体３，４の内周側にはパッキン部材５を保持し、このパッキン部材５を介して透明板２１，２１ａ，２１ｂが固定され、組み立てが完了する。
【０００８】
次に、機外側Ａの窓枠体３と機内側Ｂの窓枠体４の詳細な構成、特に、一対の窓枠体の結合部と、透明板の固定部とを図３から図６に沿って説明する。
［窓枠体結合部］
図３は、覗窓２を機外側からみた平面図であって、図４（ａ）は図３の透明板２１の一重構造の場合の側断面図であり、図４（ｂ）は図３の透明板２１の二重構造の場合の側断面図である。
前記の機外側Ａの窓枠体３は化粧枠を兼ねた合成樹脂製であって、図３に示すように、ドーナツ状の円形輪の表面部３１が形成され、図４（ａ）に示すように、表面部３１の最外周は開口部１２の縁部を覆うように開口部１２の径よりは大きく形成され、表面部３１の内側の中程の位置にはパネル１１側に延びる筒状部３２が設けられ、この筒状部３２の内周の適所（本実施例では４箇所）には鋸刃状に彫られた噛合部３３が設けられ、筒状部３２と噛合部３３とで機外側の窓枠体３の結合部３４を形成している。
他方、機内側Ｂの窓枠体４も化粧枠を兼ねた合成樹脂製であって、ドーナツ状の円形輪の表面部４１が形成され、表面部４１の外周は開口部１２の縁部を覆うように開口部１２の径よりは大きく形成され、表面部４１の内側の中程の位置にはパネル１１側に延びる筒状部４２が設けられ、この筒状部４２は鋸刃状に突出した噛合部４３が設けられている。
【０００９】
ここで、筒状部４２には筒状部３２が嵌合するように、筒状部４２の内周と筒状部３２の外周とが接するような径に設定し、図５と図６に示すように、機外側Ａの窓枠体３と機内側Ｂの窓枠体４とを対面させ時に、筒状部４２に筒状部３２を嵌合させれば、筒状部４２表面の鋸刃状に突出した噛合部４３が、筒状部３２の外周の適所に鋸刃状に彫られた噛合部３３に噛み合うことになる。
この際、互いの鋸刃状の刃の形は、図６（図３、図４の符号Ｅの部分の拡大図）に示すように、噛合部４３ではパネル１１側が斜行部４３１で機内側Ｂが直立部４３２を形成し、他方、噛合部３３では機外側Ａが直立部３３２でパネル側が斜行部３３１を形成する形状となっているため、機外側Ａの窓枠体３と機内側Ｂの窓枠体４とを互いに内側に押圧（図５，６矢印Ｃ，Ｄ）すると、一方向クラッチのように作用し外側方向に移動するのを規制して元に戻ることがない。
このことは、図４（ｃ）、図４（ｄ）に示すように、パネル１１の幅がｘ１（図４（ａ），（ｂ））からｘ２（図４（ｃ）（ｄ））のように厚くなっても機外側Ａの窓枠体３と機外側Ｂの窓枠体４とを押圧（図５，６矢印Ｃ，Ｄ）すれば、窓枠体３，４は押圧した状態で固定され、種々の厚さのパネルにも対処できることになる。
【００１０】
［透明板固定部］
図４に示すように、表面部３１の最小径部には内側に短く延びる係止筒状部３５が設けられ、前記筒状部３２の外周と係止筒状部３５の内周とで輪状のパッキン部材５を保持する保持部を形成し、他方、表面部４１の最小径部にも内側に短く延びる係止筒状部４５が設けられ、前記係止筒状部３５と係止筒状部４５とで輪状のパッキン部材５を保持する保持部を形成されている。当然のことながら、係止筒状部３５と係止筒状部４５の内径と外径は同じであり、パッキン部材５は両側の窓枠体３，４に保持される。
このパッキン部材５の内周面には、二本の環状の嵌合溝部５１が設けられ、この嵌合溝部５１には強化ガラスの透明板２１が嵌め込まれる。
図４（ａ）は、透明板２１が一枚の一重構造であるが、透明板２１は機外側Ａの嵌合溝部５１ａに嵌め込み、透明板と嵌合溝部５１との接合部、及び、透明板２１と筒状部３５の接合部にはコーキング材５２を施して気密にしている。
図４（ｂ）は、透明板２１が二枚の二重構造であるが、上述したように透明板２１は機外側Ａの嵌合溝部５１ａに嵌め込み後、もう一枚の透明板２１を機内側Ｂの嵌合溝部５１ｂに嵌め込み、同様に、透明板２１と筒状部４５の接合部にはコーキング材５２を施して気密し、更に、二枚の透明板２１の間には、湿気を除くための乾燥材５３を封入してある。
このパッキン部材５は、単一の部材で透明板２１が一枚の一重構造と二枚の二重構造に対応できるが、パネル材１１が厚くなった場合も、図４（ｃ）、図４（ｄ）に示すように、このパッキン部材５の機内側Ｂに任意の厚さのスペーサー５４（図４（ｅ））を挿入すれば対処できる。
なお、本実施例では、覗窓の形状を円形としたが、正方形や長方形の矩形でも良く、この場合には、実施例の円筒の筒状部は柱状の筒状部とすればよい。
また、本実施例では窓枠体３，４を合成樹脂で製作してあるので、金属などとは異なりメッキなど表面処理は不要であるばかりか、金属に比べて断熱性が高い。
【００１１】
以上のように、本実施例では、パッキン部材５には複数の嵌合溝部を設けたので、透明板が一つであっても複数であってもパッキン部材５を共通化して一つの部材で対応できるため部品点数を削減でき、一対の窓枠体３，４の内側の結合部での互いに接する面には一方向クラッチのように作用する鋸刃状の噛合部３３，４３を設けたので、ビス等を用いなくてもパネルの厚さが異なっても一対の窓枠体を押圧するだけでパネルに密着固定することができる。
また、パネル材１１が厚くなった場合には、別途にパッキン部材を用意する必要はなく、スペーサーを用意するだけでよいのであり、ビス等を用意する必要がないので部品点数を削減でききる。
また、一方向クラッチのように作用する鋸刃状の噛合部３３，４３を用いたことにより、従来のようなビス等の別途の固定部材を必要としないので安価に製作でき、組み立て作業も容易となる。
さらに、透明板２１が二枚の二重構造は断熱性が向上するが、この場合には乾燥剤５３を封入したので、二重構造の内側が曇ることや、カビが発生することを防ぐことができる。
【００１２】
なお、窓枠体３，４の固定において、振動が大きい器機などについてはビス止めを併用することを妨げるものではないが、この場合でも、一旦窓枠体３，４の固定がなされるので、作業効率は向上する。
なお、本発明の特徴を損うものでなければ、上記の実施例に限定されるものでないことは勿論である。例えば、機外側の構造と機内側の構造を入れ替えてもよい。
【００１３】
【発明の効果】
以上説明したように、本発明は、パッキン部材には複数の嵌合溝部を設けたので、透明板が一つであっても複数であってもパッキン部材が一つの部材で対応でき部品点数を削減でき、一対の窓枠体の内側の結合部での互いに接する面には一方向クラッチのように作用する鋸刃状の噛合部を設けたので、パネルの厚さが異なっても一対の窓枠体を押圧するだけでパネルに密着固定することができるという効果が得られる。
また、一方向クラッチのように作用する鋸刃状の噛合部を用いたことにより、従来のようなビス等の別途の固定部材が必要でなく部品点数が削減でるという効果が得られる。
このように、覗窓の取付構造全体としても従来品よりも窓枠体の部品点数を大幅に削減でき安価に製作でき、かつ、組み立て作業も容易となるという効果が得られる。
【図面の簡単な説明】
【図１】本発明の好適な実施例のケーシングの一部の設けられた扉部分を示すもので、図１（ａ）は機外側からの正面図、図１（ｂ）は上面図である。
【図２】本発明の実施例の覗窓の概要を示す図で、図２（ａ）は透明板が一重構造の断面図、図２（ｂ）は透明板が二重構造の断面図である。
【図３】本発明の実施例の覗窓の機外側からの正面図である。
【図４】図４（ａ）は、図３における透明板が一重構造の断面図、図４（ｂ）は透明板が二重構造の断面図、図４（ｃ）は透明板が一重構造で異なった厚さのパネルに適用した断面図、図４（ｄ）は透明板が二重構造で異なった厚さのパネルに適用した断面図、図４（ｅ）はスペーサーの単体の斜視図である。
【図５】図４における窓枠体の結合部の部分拡大斜視図である。
【図６】図５における結合部の鋸刃状噛合部の断面図である。
【図７】従来の覗窓の構造を説明する断面図である。
【符号の説明】
Ａ…機外側、Ｂ…機内側、Ｃ，Ｄ…組み立て押圧方向、Ｅ…結合部、
１…扉部本体、１１…パネル、１２…開口部、１３…ヒンジ部、１４…取手、
２…覗窓、２１…透明板、
３，４…窓枠体、３１，４１…表面部、３２，４２…筒状部、３３，４３…噛合部、
３３１，４３１…斜行部、３３２，４３２…直立部、３４，４４…結合部、３５，４５…係止筒状部
５…パッキン部材、５１，５１ａ，５１ｂ…嵌合溝部、５２…コーキング材、
５３…乾燥材、５４…スぺ−サー、
【図１】
2004332383.tif 000003
【図２】
2004332383.tif 000004
【図３】
2004332383.tif 000005
【図４】
2004332383.tif 000006
【図５】
2004332383.tif 000007
【図６】
2004332383.tif 000008
【図７】
2004332383.tif 000009